(57)【要約】【課題】釣人がより握りやすく且つより確実にホールドすることができるリールシートの提供。【解決手段】このリールシート１０は、ウレタン塗装された樹脂製のシート本体１２を有する。シート本体１２は、釣用リールの脚が載置されるシート面１７を有する。シート面１７の前方に固定フード１４及び前側部位３０が設けられている。シート面１７を挟んで両側に第１曲面１８がシート本体１２の裏側まで延設されている。第１曲面１８の前側４３に第２曲面１９が設けられている。第２曲面１９は、前側部位３０を挟んで両側に配置され、シート本体１２の裏側まで延設されている。第１曲面１８及び第２曲面１９の境界に稜線３１が形成され、両者は不連続になっている。第１曲面１８及び第２曲面１９に複数の凸条３２が形成されている。各凸条３２は、所定のピッチで並設されており、後方へ延びている。【選択図】図２
2019097481.tif 000002
【特許請求の範囲】
【請求項１】
軸方向にブランクが挿通される筒状のシート本体を有し、当該シート本体の周面の所定部位に釣用リールが載置されるシート面が形成されると共に、当該シート面の上記軸方向一方側に当該シート面の端部を覆うように固定フードが一体的に隆起形成されたリールシートであって、
上記シート面の上記軸方向に沿う一対の側縁に連続して上記シート本体の周面のうち上記所定部位と径方向反対側に回り込むように延設された一対の第１曲面と、
上記シート本体の上記固定フードから上記軸方向一方端まで延びる部位の一対の側縁に連続し、上記シート本体の周面のうち上記所定部位と径方向反対側に回り込むと共に、上記第１曲面との境界に上記固定フードから上記軸方向他方向き且つ上記所定部位と径方向反対側に延びる稜線を形成するように延設された一対の第２曲面と、
上記第１曲面又は第２曲面の少なくとも一方に、上記軸方向他方向きに対して鋭角的に交差するように並設された複数の凸条又は凹条とを備えたリールシート。
【請求項２】
上記第２曲面に形成された凸条又は凹条は、上記稜線に沿って並設されている請求項１に記載のリールシート。
【請求項３】
上記凸条又は凹条の幅及びピッチは、それぞれ、０．１ｍｍ〜０．５ｍｍ、０．５ｍｍ〜５．０ｍｍである請求項１又は２に記載のリールシート。
【請求項４】
上記シート本体の周面のうち上記所定部位と径方向反対側の面は、径方向外方に膨出した曲面である請求項１〜３のいずれかに記載のリールシート。
【請求項５】
上記径方向外方に膨出した曲面と上記第２曲面との境界に上記軸方向一方端から他方端へ曲線的に延びる溝が形成されている請求項４に記載のリールシート。
【請求項６】
上記シート本体は、ウレタン塗料が塗布されている請求項１から５のいずれかに記載のリールシート。
【発明の詳細な説明】
【技術分野】
【０００１】
この発明は、釣用リールを着脱自在に保持するリールシートの構造に関するものである。
【背景技術】
【０００２】
いわゆる延べ竿を除き、釣竿は、一般に釣用リールを装着するためのリールシートを備えている。リールシートは、釣人が釣竿を把持するためのグリップを兼ねている。釣人は、リールシートを把持して釣竿を操作することにより、仕掛けのキャスト、ラインのメンディング、ヒットした魚の取り込み等を行う。釣人が釣竿を思い通りに操作するために、グリップを兼ねるリールシートは、確実にホールドできるものであることが要請である。そのため、従来からリールシートには様々な改良が加えられている（たとえば、特許文献１、特許文献２、非特許文献１参照）。
【先行技術文献】
【特許文献】
【０００３】
【特許文献１】特開２００３−１１６４２１号公報
【特許文献２】特開２０１３−４６５８４号公報
【非特許文献】
【０００４】
【非特許文献１】2017シマノフィッシングタックルカタログ  p91〜p92
【発明の概要】
【発明が解決しようとする課題】
【０００５】
上記各特許文献等が例示するように、従来のリールシートの改良のポイントは、リールシートの外形形状の工夫により握りやすさを追求すること、及びリールシートの表面性状の工夫により滑り止めを行うこと、である。ただし、従来の改良をもってしても未だ理想のリールシートが完成されておらず、さらなる改良が望まれている。
【０００６】
本発明はかかる背景のもとになされたものであって、その目的は、釣人がより握りやすく且つより確実にホールドすることができるリールシートを提供することである。
【課題を解決するための手段】
【０００７】
(1) 本発明に係るリールシートは、軸方向にブランクが挿通される筒状のシート本体を有し、当該シート本体の周面の所定部位に釣用リールが載置されるシート面が形成されると共に、当該シート面の上記軸方向一方側に当該シート面の端部を覆うように固定フードが一体的に隆起形成されている。このリールシートは、上記シート面の上記軸方向に沿う一対の側縁に連続して上記シート本体の周面のうち上記所定部位と径方向反対側に回り込むように延設された一対の第１曲面と、上記シート本体の上記固定フードから上記軸方向一方端まで延びる部位の一対の側縁に連続し、上記シート本体の周面のうち上記所定部位と径方向反対側に回り込むと共に、上記第１曲面との境界に上記固定フードから上記軸方向他方向き且つ上記所定部位と径方向反対側に延びる稜線を形成するように延設された一対の第２曲面と、上記第１曲面又は第２曲面の少なくとも一方に、上記軸方向他方向きに対して鋭角的に交差するように並設された複数の凸条又は凹条とを備えている。
【０００８】
この構成によれば、上記シート面がシート本体の周面の所定部位（以下、本明細書において「シート正面部」と称す。）に釣用リールの脚が載置され、固定される。この状態で釣人がシート本体を手で把持する。釣人の手の母指球がシート正面部と径方向反対側の面（以下、本明細書において「シート背面部」と称す。）に当接する。釣人の人差指あるいは中指が第２曲面の一方側からシート正面部を回り込んで第２曲面の他方側へ達する。釣人の中指あるいは薬指及び小指が第１曲面の一方側からシート正面部を回り込んで第１曲面の他方側へ達する。この第１曲面と第２曲面との境界に稜線が形成されているから、両曲面は稜線を境にして不連続である。そのため、第１曲面及び第２曲面は、釣人の各指（五指）の配置に合致し、釣人は、各指を違和感なく第１曲面及び第２曲面に当接させることができる。
【０００９】
上記第１曲面又は第２曲面に複数の凸条又は凹条が形成されている。たとえば、実釣において釣人が釣用リールをオープンベール状態で待機するとき、親指及び人差指でシート本体を挟持する場合があるが、その場合に、親指及び人差指が第２曲面に押圧され、各指は上記凸条又は凹条と接することになる。この凸条又は凹条は、上記軸方向他方向きに対して鋭角的に交差するように延びているので、釣人の手に対して効果的な滑り止め効果を発揮する。
【００１０】
(2) 上記第２曲面に形成された凸条又は凹条は、上記稜線に沿って並設されているのが好ましい。
【００１１】
この構成では、中指、薬指及び小指のより高い滑り止め効果が発揮される。上記凸条又は凹条が上記稜線に沿っている場合に高い滑り止め効果が発揮される理由は明らかではないが、人の手は肉体の一部であって、物性としてはきわめて柔らかいものであるから、釣人がシート本体を把持したときは、手ないし指の表面が凸条又は凹条に食い込むことになる。その場合、上記凸条又は凹条が上記稜線に沿うように延びていれば、より滑りにくくなるものと考えられる。
【００１２】
(3) 上記凸条又は凹条の幅及びピッチは、それぞれ、０．１ｍｍ〜０．５ｍｍ、０．５ｍｍ〜５．０ｍｍであるのが好ましい。
【００１３】
凸条又は凹条がかかるサイズであるならば、釣人がシート本体を把持したときは、手ないし指の表面が凸条又は凹条により確実に食い込む。
【００１４】
(4) 上記シート本体の周面のうち上記所定部位と径方向反対側の面は、径方向外方に膨出した曲面であるのが好ましい。
【００１５】
この構成では、シート背面部が盛り上がっているので、釣人の手の母指球がより確実にシート背面部に当接し、安定的に支持される。つまり、釣人にとって、より握りやすいシート本体となる。
【００１６】
(5) 上記径方向外方に膨出した曲面と上記第２曲面との境界に上記軸方向一方端から他方端へ曲線的に延びる溝が形成されているのが好ましい。
【００１７】
この構成では、釣人がシート本体を把持したときは、いわゆる掌が上記溝に食い込むことになり、より高い滑り止め効果が発揮される。
【００１８】
(6) 上記シート本体は、ウレタン塗料が塗布されているのが好ましい。
【００１９】
この構成では、上記滑り止め効果を維持しつつ釣人にとって握り心地が向上する。
【発明の効果】
【００２０】
この発明によれば、シート背面部を基準に一対の第１曲面及び第２曲面がそれぞれ対称に配置されており、釣人は、シート本体を違和感なく簡単且つ確実に握ることができる。しかも、第１曲面又は第２曲面に形成された凸条又は凹条が効果的な滑り止め効果を発揮するので、実釣において釣人は、釣竿を持つ手が簡単に滑ることはない。
【図面の簡単な説明】
【００２１】
【図１】図１は、本発明の一実施形態に係るリールシート１０の外観斜視図である。
【図２】図２は、本発明の一実施形態に係るシート本体１２の拡大斜視図である。
【図３】図３は、本発明の一実施形態に係るシート本体１２の拡大斜視図である。
【図４】図４は、シート本体１２の側面（ａ）、背面（ｂ）、側面（ｃ）、正面（ｄ）を示す図である。
【図５】図５は、本発明の一実施形態に係る固定ナット１６の斜視図である。
【図６】図６は、本発明の一実施形態に係る可動フード１５の拡大斜視図である。
【図７】図７は、図６におけるＡ矢視図及びＢ矢視図である。
【図８】図８は、図６におけるVIII−VIII断面図である。
【発明を実施するための形態】
【００２２】
以下、本発明の好ましい実施形態が、適宜図面が参照されながら説明される。なお、本実施の形態は、本発明に係るリールシートの一態様にすぎず、本発明の要旨を変更しない範囲で実施態様が変更されてもよいことは言うまでもない。
【００２３】
１．概略とポイント
【００２４】
図１は、本発明の一実施形態に係るリールシート１０の外観斜視図である。同図は、リールシート１０が釣竿を構成するブランク１１に装着されている状態を示している。
【００２５】
このリールシート１０は、上記ブランク１１に装着され、釣用リールの脚を固定する。リールシート１０は、シート本体１２と固定リング１３とを有し、いわゆるスクリューシートタイプである。固定リング１３は、締付ナット１６及び可動フード１５を有する。締付ナット１６は、シート本体１２に螺合されており、回転されることによって軸方向２０（ブランク１１の中心軸２１に沿う方向）にスライドする。可動フード１５及び締付ナット１６は、軸方向２０に沿って並設されている。可動フード１５は、締付ナット１６に対して軸方向２０を中心として回動自在に設けられており、且つ図示されていない回り止め構造を介してシート本体１２と係合している。したがって、締付ナット１６が回転操作された場合に、可動フード１５は、締付ナット１６と共に回転することが規制されつつ軸方向２０にスライドする。
【００２６】
シート本体１２に固定フード１４が設けられており、可動フード１５と対向配置されている。締付ナット１６が操作されると、可動フード１５は軸方向２０にスライドし、固定フード１４に対して相対的に接離する。釣用リールの脚は、シート面１７に当接された状態で固定フード１４及び可動フード１５によって挟持される。
【００２７】
釣人は、実釣において釣用リールが装着されたリールシート１０を把持し、釣竿を操作する。このとき、釣人の指は、シート本体１２の周面に巻き付くように当接される。本実施形態に係るリールシート１０の特徴とするところは、同図が示すように、シート本体１２の第１曲面１８及び第２曲面１９に多数の凸条３２が並設されている点である。この凸条３２が設けられることにより、実釣での様々なシーンにおいて、釣人の手がリールシート１０に対して違和感なく馴染み且つ高い滑止効果が発揮される。
【００２８】
２．シート本体
【００２９】
図２及び図３は、シート本体１２の拡大斜視図である。図３は、図２において中心軸２１を中心にシート本体１２が１８０°（ｄｅｇｒｅｅ）だけ回転された状態を示す。図４は、シート本体１２の側面（ａ）、背面（ｂ）、側面（ｃ）、正面（ｄ）を示す図である。
【００３０】
シート本体１２は、全体として筒状を呈し、中心に円形の孔２２が貫通形成されている。すなわち、シート本体１２の外周面形状は後述のように複雑であるが、内周面２３の形状は、ブランク１１の外径に対応した円形である。シート本体１２は、把持筒２４及び螺合筒２５を有し、これらは樹脂（ポリアミド（ＰＡ：ナイロン）のほか、炭素繊維にて強化された樹脂）により一体的に形成されている。本実施形態では、シート本体１２の表面にウレタン塗装が施されている。塗装に用いられる塗料は、いわゆるウレタン系塗料であればよい。把持筒２４は、ブランク１１の前側４３（特許請求の範囲に記載された「軸方向一方側」に相当）に配置され、螺合筒２５は後側に配置されている。
【００３１】
把持筒２４の周面にシート正面部２６（特許請求の範囲に記載された「シート本体の周面の所定部位」に相当）が配置されている。シート正面部２６は、図２において上側に位置する。このシート正面部２６に上記シート面１７が形成されている。このシート面１７は平坦面であり、釣用リールの脚が安定して載置される。図３が示すように、上記シート正面部２６の反対側（特許請求の範囲に記載された「シート本体の周面のうち上記所定部位と径方向反対側」に相当）にシート背面部２７が設けられている。このシート背面部２７は、シート本体１２の径方向外方（同図において上方）に膨らんだ曲面を有する。したがって、把持筒２４の断面形状は、いわゆる小判形を呈する。
【００３２】
図２が示すように、シート正面部２６の前側４３（特許請求の範囲に記載された「軸方向一方側」に相当）に上記固定フード１４が設けられている。固定フード１４は、シート正面部２６と一体的に形成され、同図において上方に隆起している。固定フード１４は、シート正面部２６の端部（前端部）を覆う袋状に形成され、上記釣用リールの脚の一方側を収容し保持する。
【００３３】
上記第１曲面１８は、上記シート面１７に連続している。具体的には、当該シート面１７の側縁２８、２９（特許請求の範囲に記載された「シート面の上記軸方向に沿う一対の側縁」に相当）に連続して形成されている。各第１曲面１８は、それぞれ、上記側縁２８、２９から上記シート背面部２７側に展開しており、上記中心軸２１に対して径方向に対称に配置されている。図４（ａ）（ｄ）が示すように、第１曲面１８は、シート背面部２７からシート正面部２６に向かって絞り込まれるように（シート本体１２の径方向寸法を漸次縮小するように）形成されている。
【００３４】
上記第２曲面１９は、シート本体１２の前側部位３０（特許請求の範囲に記載された「上記固定フードから上記軸方向一方端まで延びる部位」に相当）に連続している。図２が示すように、この前側部位３０は、固定フード１４に連続してシート本体１２の前端３１に至るまでの領域であり、隆起した固定フード１４の頂部から上記前端３１に向かって滑らかに傾斜し、且つ周方向に緩やかな弧を描くように湾曲している。
【００３５】
この前側部位３０の一対の側縁３７（本実施形態では仮想的な側縁）に、一対の第２曲面１９が連続している。各第２曲面１９は、シート背面部２７側へ展開している。一対の第２曲面１９は、上記第１曲面１８と同様に、上記中心軸２１に対して径方向に対称に配置されている。図４（ｃ）（ｂ）が示すように、第２曲面１９は、シート背面部２７からシート正面部２６に向かって径方向に凸となる弧を描くように湾曲している。
【００３６】
上記第１曲面１８は、前述のようにシート背面部２７からシート正面部２６に向かって絞り込まれるように形成されているのに対して、上記第２曲面１９は、シート背面部２７からシート正面部２６に向かって径方向に凸となる弧を描くように湾曲していることから、両曲面１８、１９が接する部位に稜線３１が形成され、当該稜線３１を境にして第１曲面１８は、第２曲面１９に対して屈曲された状態（不連続）となっている。この稜線３１は、固定フード１４から軸方向２０の後向き（矢印４３が示す向きと反対向き：特許請求の範囲に記載された「軸方向他方向き」に相当）に延び且つシート背面部２７に回り込むように延びている。
【００３７】
第１曲面１８及び第２曲面１９に凸条３２が形成されている。第１曲面１８に１５本の凸条３２が設けられ、第２曲面１９に１６本の凸条３２が設けられている。各凸条３２は、規則的に整列され、上記稜線３１に沿って互いに平行に且つ中心軸２１に対して傾斜して延びている。具体的には、第１曲面１８に設けられた凸条３２の幅寸法は、０．３ｍｍ、間隔（ピッチ）は、１．０ｍｍ程度に設定されている。各凸条３２の長さ寸法は、１０ｍｍ〜５０ｍｍに設定され、各凸条３２の長手方向と中心軸２１とが成す角度は５°（ｄｅｇｒｅｅ）〜２５°に設定されている。第１曲面１８に設けられた凸条３２は、側縁２８、２９から軸方向２０の後ろ向きに延び、中心軸２１と鋭角的に交差している。同様に、第２曲面１９に設けられた凸条３２も軸方向２０の後ろ向きに延び、中心軸２１と鋭角的に交差している。各凸条３２の幅寸法は上記寸法に限定されるものではなく、０．１ｍｍ〜０．５ｍｍの範囲に設定され、上記ピッチは０．５ｍｍ〜５．０ｍｍの範囲に設定される。
【００３８】
上記凸条３２の外形形状については、本実施形態では、その断面形状が台形となるように形成されている。ただし、凸条３２の断面形状は特に限定されるものではなく、たとえば三角形その他の多角形であってもよい。この凸条３２が設けられることによる作用効果は後述される。また、本実施形態では、上記第１曲面１８及び第２曲面１９に凸条３２が形成されているが、凸条３２に代えて、凹条が設けられていてもよい。
【００３９】
図３が示すように、シート背面部２７を構成する曲面と、第２曲面１９との境界に、一対の溝４１が形成されている。各溝４１は、中心軸２１を中心にして対称に配置されている。溝４１は、把持筒２４の前端から後端に向かって曲線的に延びている。この溝４１の幅寸法は２．０ｍｍ〜４．０ｍｍに設定され、深さ寸法は、１．０ｍｍ程度に設定される。
【００４０】
螺合筒２５は、筒状を呈し、把持筒２４の後端側に連続して設けられている。螺合筒２５は、円筒部３３及び連結部３４を備えており、連結部３４は、円筒部３３と把持筒２４の後端とを連続している。図３が示すように、連結部３４は、把持筒２４から略台形状に突出する部位３５を有し、当該部位３５によって、可動フード１５が把持筒２４に確実に嵌合することができるようになっている（図１参照）。
【００４１】
円筒部３３の外周面に雄ネジ３６が形成されている。締付ナット１６（図１参照）は、この雄ネジ３６と螺合する。この雄ネジ３６のネジ山が円筒部３３の周方向の３カ所において欠損されている。具体的には、図２が示すように、円筒部３３の上側部分（上記シート面１７から軸方向２０の後ろ向きに隣接する部分）及び側方部（上記第１曲面１８から軸方向２０の後ろ向きに隣接する部分）においてネジ山が欠損している。これにより、当該部分に溝３８、３９、４０が形成されている。本実施形態では、円筒部３３の３カ所に溝３８〜４０が設けられているが、当該３カ所以上に設けられていてもよいし、溝３９、４０のみが設けられていてもよい。
【００４２】
各溝３８〜４０は、円筒部３３の軸方向２０に沿って延びている。溝３８の幅寸法Ｗ１は、５．０ｍｍ、溝３９、４０の幅寸法Ｗ２は７．０ｍｍに設定されている（図４参照）。各溝３８〜４０の幅寸法Ｗ１、Ｗ２は上記寸法に限定されるものではなく、溝３８の幅寸法Ｗ１は３．０ｍｍ〜６．０ｍｍ、溝３９、４０の幅寸法Ｗ２は、５．０ｍｍ〜１０．０ｍｍに設定され得る。この溝３８〜４０は、前述のように雄ネジ３６のネジ山が取り除かれることにより形成されており、このため、溝３８〜４０の底面は、円弧状を呈する。したがって、円筒部３３の肉厚は、周方向において一定である。なお、本実施形態では、溝３９、４０の幅寸法は同一（Ｗ２）であるが、各溝３９、４０の幅寸法が異なっていてもよい。
【００４３】
３．固定ナット
【００４４】
図５は、固定ナット１６の斜視図である。
【００４５】
前述のように、固定リング１３は、可動フード１５と締付ナット１６とを有する。両者は、連結部位４２において中心軸２１の軸方向に沿って連結されている。可動フード１５は、締付ナット１６に対して中心軸２１を中心にして回転自在である。両者の連結構造は既知であり、たとえば、締付ナット１６の内周面を周回するように形成されたスライド溝に、可動フード１５に設けられた突起（径方向に突出する爪等）が係合する構造が採用され得る。締付ナット１６は、アルミニウム合金その他の金属から構成され得る。図示されていないが、締付ナット１６の内周面に雌ネジが形成されており、この雌ネジが上記シート本体１２の雄ネジ３６（図２参照）と螺合する。
【００４６】
可動フード１５は、樹脂又は金属からなる。可動フード１５は、シート本体１２を構成する樹脂と同一の材料から構成されるのが好ましい。可動フード１５もシート本体１２と同様にウレタン塗装が施されている。可動フード１５の前端に収容部５０が形成されている。この収容部５０に釣用リールの脚が収容され、保持される。
【００４７】
図６は、可動フード１５の拡大斜視図である。図７は、図６におけるＡ矢視図及びＢ矢視図であり、それぞれ（ａ）（ｂ）で表される。図８は、図６におけるVIII−VIII断面図である。
【００４８】
可動フード１５は、全体として筒状を呈し、前側４３に小判形の開口４４が形成され（図６、図７（ａ））、後側に円形の開口４５が形成されている（同図（ｂ））。可動フード１５の後端の外径（開口４５が形成された端部の外径）は、締付ナット１６の外径に対応している（図５参照）。このため、上記連結部位４２に段差がなく、固定フード１５と締付ナット１６は軸方向２０に沿って滑らかに連続するように連結されている。
【００４９】
他方、可動フード１５の開口４４の外形形状は、シート本体１２の把持筒２４の後端４６（図３参照）の外形形状に対応している。したがって、図６及び図７が示すように、可動フード１５の後端側部位の外形形状は円筒状を呈し、前側４３に向かって縦方向４７（上記シート正面部２６及びシート背面部２７に直交する方向：図２、図３における上下方向）の寸法が漸次拡大している。また、可動フード１５の後端側部位から前側４３に向かって、横方向４８（上記一対の第１曲面１８に直交する方向：図２、図３参照）の寸法が漸次縮小している。
【００５０】
つまり、可動フード１５の外形形状は、後端側部位から前側４３に向かって縦方向４７に拡大すると共に横方向４８に絞り込まれるように縮小している。このように、可動フード１５が縦方向４７に拡大することにより、釣人がリールシート１０を握った際に、シート背面部２７及び可動フード１５の縦方向４７の下面４９が母指球及び掌になじむように当接すると共に、指が第１曲面１８になじむように巻き付く（図１参照）。また、可動フード１５の縦方向４７の上面５１は、上方に向かって膨出している。これにより、上記収容部５０が形成されている。
【００５１】
図７及び図８が示すように、可動フード１５の内壁面５５の３カ所に肉厚部５２〜５４が設けられている。これら肉厚部５２〜５４は、上記内壁面５５が内側に盛り上がるようにして形成されている。肉厚部５２並びに肉厚部５３、５４は、それぞれ、同図において縦方向４７の上側並びに横方向４８の左右側に設けられている。つまり、肉厚部５２は、上記螺合筒２５の溝３８の位置と合致し、肉厚部５３、５４は、それぞれ、上記螺合筒２５の溝４０、３９の位置と合致している（図２参照）。
【００５２】
肉厚部５２は、図７及び図８が示すように一対の角部を有し、当該角部のスパンは、溝３８の幅寸法Ｗ１に対応している。したがって、肉厚部５２の角部は、溝３８の隅部５６（図２参照）に当接する。肉厚部５３は、図６が示すように軸方向２０に延びる矩形を呈する。肉厚部５３の周方向の長さ寸法Ｌ１は、上記螺合筒２５の溝４０の幅寸法Ｗ２（図４参照）に対応している。肉厚部５３の内面５７は、円弧状の曲面である。この内面５７の曲率半径は、上記螺合筒２５の溝４０の底面の曲率半径に対応している（図２参照）。したがって、溝４０の底面と肉厚部５３の内面５７は、面接触する。肉厚部５４は肉厚部５３と同様の形状である。したがって、肉厚部５４の周方向の長さ寸法Ｌ１は、上記螺合筒２５の溝３９の幅寸法Ｗ２（図４参照）に対応しており、溝３９の底面と肉厚部５４の内面５８は、面接触する。
【００５３】
なお、前述のように、溝３９、４０の幅寸法が異なる場合は、これに対応して上記長さ寸法Ｌ１も変更される。また、上記内面５７、５８が円弧状の曲面でなく、溝４０、３９の底面と面接触していなくてもよい。さらに、上記長さ寸法Ｌ１及び肉厚部５２の角部のスパンは、これらの合計が可動フード１５の後端部の内周長に対して１／４になるように設計されている。
【００５４】
図６及び図８が示すように、本実施形態では、肉厚部５３、５４の角部５９に面取加工が施されている。この面取加工は、典型的にはＣ面加工である。もっとも、この面取加工は省略されていてもよい。
【００５５】
４．作用効果
【００５６】
本実施形態によれば、実釣において釣人がリールシート１０を握った場合、釣人の手の母指球がシート背面部２７に当接し、人差指あるいは中指が一対の第２曲面１９に巻き付くように配置され、且つ中指あるいは薬指及び小指が一対の第１曲面１８に巻き付くように配置される。第１曲面１８と第２曲面１９との境界に稜線３１が形成されており、隣り合う両曲面１８、１９が稜線３１を境にして不連続となっている。そのため、釣人の各指は、第１曲面１８及び第２曲面１９になじみ、釣人は、違和感なくシート本体１２を握ることができる。したがって、魚がヒットして釣人が釣竿を操作するときは、各指の滑り止め効果が発揮される。なお、本実施形態では、第１曲面１８及び第２曲面１９の双方に凸条３２が形成されているが、第１曲面１８及び第２曲面１９のうちいずれか一方にのみ凸条３２が形成されていてもよい。
【００５７】
たとえば、実釣において釣人が釣用リールをオープンベール状態で待機するとき、親指及び人差指でシート本体１２を挟持する場合があるが、その場合に、親指及び人差指が第２曲面１９に押圧され、各指が凸条３２と接する。この凸条３２は、軸方向２０の後ろ向きに対して鋭角的に交差するように延びているので、釣人の手に対して効果的な滑り止め効果を発揮する。本実施形態では、上記第２曲面１９に形成された凸条が上記稜線３１に沿って並設されているので、中指、薬指及び小指のより高い滑り止め効果が発揮される。
【００５８】
本実施形態では、上記凸条３２の幅が０．１ｍｍ〜０．５ｍｍであり、ピッチが０．５ｍｍ〜３．０ｍｍであるから、釣人がシート本体１２を把持したときは、手ないし指の表面が凸条に確実に食い込み、さらに高い滑り止め効果が発揮される。
【００５９】
本実施形態では、シート背面部２７が外方に膨出しているので、釣人の手の母指球がより確実にシート背面部２７に当接し、安定的に支持される。つまり、釣人にとって、より握りやすいシート本体１２となる。
【００６０】
本実施形態では、シート背面部２７と第２曲面１９との境界に溝４１が形成されているので、釣人がシート本体１２を把持したときは、いわゆる掌が溝４１に食い込む。これにより、なお一層高い滑り止め効果が発揮される。
【００６１】
本実施形態では、シート本体１２にウレタン塗料が塗布されているので、釣人にとって握り心地が向上する。
【００６２】
さらに、本実施形態によれば、釣用リールの脚は、シート面１７に載置され、固定フード１４及び固定リング１３により挟持される。可動フード１５の肉厚部５２、５３、５４がシート本体１２に設けられた溝３８、３９、４０に嵌合しているので、固定リング１３が操作された場合（すなわち締付ナット１６が回転された場合）に、締付ナット１６の回転と共に可動フード１５が回転することが防止される。すなわち、肉厚部５２、５３、５４及び溝３８、３９、４０によって、前述の回り止め構造が構成されている。
【００６３】
図２及び図３が示すように、上記溝３８、３９、４０は、雄ネジ３６のネジ山の一部を取り除いたものであるから、可動フード１５の回転防止を行うためにシート本体１２の外径が拡大することはない。すなわち、たとえば可動フード１５の回転防止のためにシート本体１２にキー溝が形成される場合、当該キー溝を形成するために円筒部３３の肉厚を余分に確保しなければならず、シート本体１２の外径も大きくなってしまうが、本実施形態ではそのような問題が生じない。
【００６４】
シート本体１２の拡径が抑えられることにより、可動フード１５の横方向４８の外形寸法も抑えられる。さらに、肉厚部５３、５４は、横方向４８に配置されているから、シート本体１２の外径並びに可動フード１５の横方向の外形寸法が抑えられつつ、可動フード１５の横方向４８の肉厚寸法は大きくなる。このように、可動フード１５の横方向４８の寸法が抑えられるから、釣人にとって握りやすいリールシート１０がデザインされる。しかも、可動フード１５の横方向４８の肉厚が大きくなるので、可動フード１５の剛性が確保され、釣用リールの脚が確実に保持される。
【００６５】
本実施形態では、肉厚部５２、５３、５４の周方向の長さ、すなわち、肉厚部５３、５４の長さ寸法Ｌ１及び肉厚部５２の角部のスパンの合計の長さは、可動フード１５の後端部の内周長に対して１／４であり、適宜設計変更され得る。このため、可動フード１５の必要且つ十分な剛性が確保される。
【００６６】
本実施形態では、肉厚部５３、５４の内面５７、５８は、溝４０、３９の底面と面接触するから、シート本体１２と可動フード１５との間にがたつきが生じることがなく、リールシート１０の剛性が向上し、可動フード１５の円滑なスライドが実現される。
【００６７】
本実施形態では、肉厚部５３、５４の角部に面取加工が施されているので、たとえば実釣において魚がヒットし、リールシート１０に曲げモーメントが作用した場合でも、可動フード１５がシート本体１２に固着することがなく、円滑なスライドが可能である。
【符号の説明】
【００６８】
１０・・・リールシート
１１・・・ブランク
１２・・・シート本体
１３・・・固定リング
１４・・・固定フード
１５・・・可動フード
１６・・・締付ナット
１７・・・シート面
１８・・・第１曲面
１９・・・第２曲面
２０・・・軸方向
２１・・・中心軸
２４・・・把持筒
２５・・・螺合筒
２６・・・シート正面部
２７・・・シート背面部
２８・・・側縁
２９・・・側縁
３０・・・前側部位
３１・・・稜線
３２・・・凸条
３３・・・円筒部
３６・・・雄ネジ
３７・・・側縁
３８・・・溝
３９・・・溝
４０・・・溝
４１・・・溝
４４・・・開口
４５・・・開口
【図１】
2019097481.tif 000003
【図２】
2019097481.tif 000004
【図３】
2019097481.tif 000005
【図４】
2019097481.tif 000006
【図５】
2019097481.tif 000007
【図６】
2019097481.tif 000008
【図７】
2019097481.tif 000009
【図８】
2019097481.tif 000010